(57)【要約】【課題】認証されたユーザ以外のユーザによるジョブが実行されるのを防ぐ。【解決手段】読取部は、セットされた原稿の画像を読み取り、ジョブが開始される。同時に第２読取部は、セットされた名刺の画像を読み取る。原稿の読取中、メイン制御部は、名刺の画像からユーザ情報を取得して、認証処理を行う。メイン制御部は、ユーザを認証できると、このユーザを実行中のジョブと関連付け、ジョブを続行する。ユーザの認証は、実行中のジョブにのみ有効となる。ジョブが終了すると、メイン制御部は、入力されたユーザ情報を削除して、ユーザのログオフを行う。【選択図】図４
2009171367.tif 000002
【特許請求の範囲】
【請求項１】
原稿の画像を読み取る読取部と、ユーザ情報を記載した記録媒体から画像を読み取る第２読取部と、原稿画像に対するジョブを行う制御部とを備え、制御部は、ユーザ情報に基づいてユーザの認証を行うと同時に、ジョブを実行することを特徴とする画像処理装置。
【請求項２】
制御部は、認証結果を実行中のジョブに対して有効とすることを特徴とする請求項１記載の画像処理装置。
【請求項３】
制御部は、ジョブが終了すると、ユーザのログオフを行うことを特徴とする請求項２記載の画像処理装置。
【請求項４】
制御部は、ユーザを認証できないとき、ジョブを中止することを特徴とする請求項２記載の画像処理装置。
【請求項５】
制御部は、ＯＣＲ処理により記録媒体の画像からユーザ情報を取得することを特徴とする請求項２記載の画像処理装置。
【請求項６】
読取部および第２読取部は、同時に読み取り動作を行い、制御部は、ユーザの認証後に、読み取った画像に対する処理を行うことを特徴とする請求項１〜３のいずれかに記載の画像処理装置。
【発明の詳細な説明】
【技術分野】
【０００１】
本発明は、読み取った画像に対して、コピー等のジョブを行う画像処理装置に関する。
【背景技術】
【０００２】
複数のユーザが使用する画像処理装置では、個人単位、あるいは部署等のグループ単位でユーザ登録が行われる。そして、画像処理装置は、ユーザに対する使用の可否を判断し、登録されているユーザであることを認証すると、ジョブを実行する。
【０００３】
特許文献１に記載の画像処理装置では、ＩＤカードを利用して、ユーザの認証を行う。そして、認証が完了していない時点で、ジョブの設定が可能とされ、認証できた時点で、ジョブが開始される。
【特許文献１】特開２００６−１６３０４４号公報
【発明の開示】
【発明が解決しようとする課題】
【０００４】
上記の画像処理装置では、ユーザの認証を行ってから、ジョブが開始される。すなわち、コピーを行う場合、ユーザを認証できたとき、原稿の読み取りが開始される。しかし、ユーザの認証を行うタイミングとジョブの開始タイミングとにはタイムラグがあり、認証されたユーザとは異なるユーザが原稿を載置するおそれがある。この場合、ユーザとジョブとには関連性がない。このようなジョブが実行されると、画像処理装置が不正に使用されることになる。
【０００５】
本発明は、上記に鑑み、認証されたユーザ以外のユーザによるジョブが実行されるのを防ぐことができる画像処理装置の提供を目的とする。
【課題を解決するための手段】
【０００６】
本発明は、原稿の画像を読み取る読取部と、ユーザ情報を記載した記録媒体から画像を読み取る第２読取部と、原稿画像に対するジョブを行う制御部とを備え、制御部は、ユーザ情報に基づいてユーザの認証を行うと同時に、ジョブを実行するものである。
【０００７】
ジョブの開始とともに、ユーザの認証処理が行われる。すなわち、読取部および第２読取部は、同時に読み取り動作を行い、制御部は、ユーザの認証後に、読み取った画像に対する処理を行う。
【０００８】
ここで、制御部は、ＯＣＲ処理により記録媒体の画像からユーザ情報を取得する。ユーザ情報に基づいて、登録されたユーザであるかの認証処理が行われる。ユーザを認証できた場合、ジョブが続行され、原稿の読み取りが終了すると、すぐに次の処理が行われる。一方、ユーザを認証できないとき、制御部は、ジョブを中止する。
【０００９】
制御部は、認証結果を実行中のジョブに対して有効とする。すなわち、認証されたユーザとこのユーザにより依頼されたジョブとが関連付けられる。これにより、ユーザは、実行中のジョブに対する権限を有し、他のジョブに対する権限は有しない。逆に、他のユーザは、実行中のジョブに対する権限を有しない。そのため、他のユーザがジョブを割り込ませても、このジョブは実行されない。
【００１０】
制御部は、ジョブが終了すると、ユーザのログオフを行う。新たにジョブを行うには、ユーザの認証が再度必要となる。したがって、同じユーザであっても、続けてジョブを実行できないが、他のユーザのジョブも実行されない。
【発明の効果】
【００１１】
本発明によると、ユーザの認証とジョブの実行を同時に行うことにより、認証されたユーザによるジョブしか行われない。そのため、他のユーザは画像処理装置の使用を制限され、他のジョブが不正に実行されるのを防止できる。
【発明を実施するための最良の形態】
【００１２】
本実施形態の画像処理装置を有する画像通信システムを図１に示す。画像通信システムは、画像処理装置１と端末装置とから構成される。端末装置は、パーソナルコンピュータ２、サーバ３、プリンタ４やファクシミリ装置５とされる。画像処理装置１と端末装置とはネットワークに接続され、互いに通信可能とされる。ネットワークは、ＬＡＮ、ＷＡＮやインターネットを含む。また、画像処理装置１は電話回線にも接続される。ネットワークや電話回線を総称して、通信回線とする。すなわち、画像処理装置１は、通信回線を通じて端末装置と通信を行う。
【００１３】
画像処理装置１は、コピー、プリント、スキャン、ファクシミリ通信、ドキュメントファイリングといったジョブを行う複合機である。端末装置は、画像処理装置１と同様の通信機能を備える。画像処理装置１と端末装置とは、電子メール、インターネットＦＡＸ、データ通信を行える。なお、端末装置は、ネットワークを通じて通信を行える通信機能を備えていればよく、携帯電話、携帯情報端末であってもよい。
【００１４】
図２に示すように、画像処理装置１は、メイン制御部１０、制御用メモリ１１、制御用バッファ１２、画像記憶部１３、フォーマット変換部１４、読取部１５、印刷部１６、パネル制御部１７、符号／復号化制御部１８、ＬＡＮ制御部１９、モデム２０、網制御部２１、セパレータ用紙を識別するための識別記号処理部２２、第２読取部２３、ＯＣＲ処理部２４を備えている。
【００１５】
メイン制御部１０は、ＣＰＵを有し、装置全体の制御を行う。メーラやブラウザを動作させて、電子メールの送受信および画像、文字等のコンテンツの送受信を制御するとともに、入力された画像を処理して、保存する。制御用メモリ１１は、書き換え可能な不揮発性のメモリあるいはバッテリバックアップされたメモリからなり、制御プログラムや端末装置に関する送信情報を記憶する。制御用バッファ１２は、ＲＡＭからなり、プログラムのデータ用として使用される。
【００１６】
画像記憶部１３は、ハードディスク装置からなり、符号化された画像データを記憶するとともに、読取部１５から読み取ったデータ、端末装置から受信したデータ、復号後のデータなどを記憶する。フォーマット変換部１４は、符号化された画像データをＴＩＦＦ、ＰＤＦ、ＪＰＥＧ等の所定のファイルフォーマットに変換する。
【００１７】
読取部１５は、ＣＣＤを利用したスキャナであり、装置本体の上部に設けられている。読取部１５は、原稿をスキャンして、所定の解像度の画像として読み取り、ドットイメージデータ（画像データ）を出力する。印刷部１６は、電子写真方式のプリンタであり、通信あるいはスキャンによって入力された画像データを用紙に印刷する。
【００１８】
パネル制御部１７では、図示しない表示部および操作部を駆動制御する。表示部は、液晶表示装置（ＬＣＤ）あるいはＣＲＴディスプレイ等であり、装置全体の動作状態や通信時の宛先などを画面に表示する。操作部は、ユーザが操作するために必要なキーボード、マウス等である。ここでは、表示部および操作部を一体としたタッチパネルとされ、装置本体の上面に配置される。ユーザが操作部を介して原稿の読み取りや宛先設定、保存先設定などの指示を入力すると、入力に応じた画面が表示される。
【００１９】
符号／復号化制御部１８は、読み取った原稿の画像データの符号化または受信した画像データの復号化を行う。すなわち、符号／復号化制御部１８は、画像データを符号化圧縮するとともに、符号化圧縮されている画像データを元の画像データに復号化する。符号／復号化制御部１８は、ファクシミリ通信で一般に使用されている、ＭＨ（Ｍｏｄｉｆｉｅｄ  Ｈｕｆｍａｎ）、ＭＲ（Ｍｏｄｉｆｉｅｄ  ＲＥＡＤ）およびＭＭＲ（Ｍｏｄｉｆｉｅｄ  Ｍｏｄｉｆｉｅｄ  ＲＥＡＤ）などの符号化方式にしたがって画像データの符号化および復号化を実行する。
【００２０】
ＬＡＮ制御部１９は、ＬＡＮインターフェースを備え、ＬＡＮインターフェースがＬＡＮに接続される。ＬＡＮインターフェースは、有線あるいは無線のネットワークインターフェースとされ、無線通信可能としてもよい。ＬＡＮはルータを通じてインターネットに接続される。ＬＡＮ制御部１９は、ＴＣＰ／ＩＰといった所定の通信プロトコルにしたがって通信を制御する。メイン制御部１０は、ＬＡＮ制御部１９を通じて端末装置との間で電子メールの送受信、インターネットＦＡＸによる画像の送受信、ＨＴＴＰあるいはＦＴＰによる画像の送受信を行う。
【００２１】
モデム２０は、電話回線を通じてのファクシミリ通信を行う。モデム２０は、網制御部（ＮＣＵ：Ｎｅｔｗｏｒｋ  Ｃｏｎｔｒｏｌ  Ｕｎｉｔ）２１に接続されている。ＮＣＵ２１は、電話回線に接続され、回線の制御を行う。すなわち、ＮＣＵ２１は、アナログの公衆電話回線網（ＰＳＴＮ）に対して、回線の閉結あるいは開放の動作を行うハードウェアであり、必要に応じてモデム２０を公衆電話回線網に接続する。
【００２２】
インターネットＦＡＸは、ＬＡＮ制御部１９によりネットワークを介して電子メールを送受信する。より具体的には、メイン制御部１０は、読取部１５が読み取った画像データ、例えばビットマップデータを、ＭＨのような圧縮形式で圧縮して圧縮ファイルを作成する。圧縮は、原稿１ページ単位で行われる。次いで、フォーマット変換部１４は、これらの圧縮ファイルを１つのＴＩＦＦ（Ｔａｇ  Ｉｍａｇｅ  Ｆｉｌｅ  Ｆｏｒｍａｔ）ファイルに変換し、このＴＩＦＦファイルを例えばＭＩＭＥ（ＭｕｌｔｉｐｕｒｐｏｓｅＩｎｔｅｒｎｅｔ Ｍａｉｌ  Ｅｘｔｅｎｓｉｏｎ） に従ってマルチパートメールに添付する。
【００２３】
この処理により、画像データは電子メールで取り扱えるフォーマットに変換される。ＬＡＮ制御部１９は、このようにして作成された電子メールをＬＡＮインターフェースを介してＳＭＴＰ等のメール転送プロトコルを用いて送信する。
【００２４】
画像処理装置１では、インターネットＦＡＸにより、ユーザにより指定された端末装置に画像を送信したり、端末装置から画像を受信する。したがって、カラー画像やデータ量の多い画像を送受信することができる。
【００２５】
本画像処理装置１では、読取部１５以外に第２読取部２３が設けられている。第２読取部２３は、名刺、はがき、カード等の記録媒体の画像を読み取る。図３に示すように、記録媒体である名刺には、ユーザ情報が記載されている。ユーザ情報は、会社名、氏名、部署である。さらには、ユーザ情報として、電話番号、ＦＡＸ番号、メールアドレス、住所、ドメイン名、ＩＰアドレスもあげられる。
【００２６】
第２読取部２３は、ＣＩＳ（Ｃｏｎｔａｃｔ Ｉｍａｇｅ Ｓｅｎｓｏｒ）を用いたスキャナである。第２読取部２３は、装置本体の上部に設けられ、読取部１５の近傍に並べて配置される。ユーザは、両読取部１５、２３を同時に使用可能となる。なお、第２読取部２３は、図示しない給紙トレイを備えている。給紙トレイは、複数の記録媒体を収容可能であり、記録媒体が１枚ずつ送り出し可能とされる。したがって、第２読取部２３は、複数の記録媒体を連続して読み取ることができる。
【００２７】
メイン制御部１０は、ジョブを行うときに、読取部１５および第２読取部２３を同時に動作させ、原稿画像の読み取りと記録媒体の読み取りとを同時に実行させる。ＯＣＲ処理部２４は、ＯＣＲ処理によって記録媒体から読み取られた画像中の文字を識別する。メイン制御部１０は、識別された文字からユーザ情報に関する文字を抽出し、会社名や氏名等を判別する。このように記録媒体から得られたユーザ情報は、制御用メモリ１１に記憶される。例えば、会社名、氏名、住所等は、名刺情報として保存される。
【００２８】
ユーザが、コピー、ファクシミリ送信、スキャン、ドキュメントファイリングといったジョブを行いたいとき、メイン制御部１０は、ユーザの認証処理を行う。画像処理装置１には、予め使用を許可するユーザが登録される。登録されたユーザに関する登録ユーザ情報は、制御用メモリ１１あるいは画像記憶部１３に保存される。登録ユーザ情報は、氏名、会社名、部署、電話番号、ＦＡＸ番号、メールアドレス、住所、ドメイン名、ＩＰアドレスといったユーザを特定できる情報を含む。
【００２９】
第２読取部２３は、ユーザの所持する記録媒体に記載れた画像からユーザ情報を読み取る。メイン制御部１０は、入力されたユーザ情報を制御用メモリ１１に保存し、このユーザ情報を登録ユーザ情報と照合することにより、ユーザの認証処理を行う。メイン制御部１０は、入力されたユーザ情報が登録ユーザ情報に含まれている場合、ジョブを依頼するユーザを登録されたユーザであると認証し、使用を許可する。入力されたユーザ情報が登録ユーザ情報に含まれていない場合、ジョブを依頼するユーザを認証できないと判断し、使用を制限する。したがって、認証されたユーザのジョブは実行され、認証できないユーザのジョブは実行されない。
【００３０】
次に、ユーザの依頼したジョブを行うときの画像処理装置１の動作を図４にしたがって説明する。ここでは、ジョブとして、コピーを行う。ユーザは、コピーしたい原稿を原稿台あるいは自動原稿送り装置にセットする（Ｓ１）。また、ユーザは、記録媒体として自己の名刺を第２読取部２３にセットする（Ｓ２）。そして、ユーザは、タッチパネルあるいは操作部を操作して、コピー条件を入力する。なお、コピー条件の入力は、原稿をセットする前に行ってもよい。
【００３１】
ユーザがスタートキーを操作する（Ｓ３）と、メイン制御部１０は、読取部１５および第２読取部２３を動作させ（Ｓ４）、ジョブを開始する。読取部１５は、原稿の画像を読み取り、第２読取部２３は、記録媒体の画像を読み取る。
【００３２】
ＯＣＲ処理部２４は、第２読取部２３によって読み取られた画像に対して、ＯＣＲ処理を行い（Ｓ５）、画像に含まれるユーザ情報を識別する。メイン制御部１０は、取得したユーザ情報に基づいてユーザの認証処理を行う（Ｓ６）。
【００３３】
Ｓ７において、認証結果により、ユーザが登録ユーザである場合、メイン制御部１０は、ユーザを認証して、使用を許可する。ここで、メイン制御部１０は、読み取った原稿画像に対するジョブと認証したユーザとを関連付ける（Ｓ８）。すなわち、この認証結果を実行中のジョブに対して有効とする。したがって、認証されたユーザであっても、他のジョブを実行させることはできず、ユーザは、現在実行中のジョブに対してのみ、変更、中止といった操作を行える。
【００３４】
メイン制御部１０は、ユーザの認証後、ジョブを続行する。例えば、読み取って入力された画像に対する処理を実行する（Ｓ９）。印刷部１６が画像を用紙に印刷する。読み取った画像を印刷し終えると、ジョブが終了する（Ｓ１０）。
【００３５】
メイン制御部１０は、制御用メモリ１１に保存されているユーザ情報を消去する（Ｓ１１）。すなわち、画像処理装置１に対するユーザのログオフが行われる。したがって、同じユーザが次のジョブを行いたとき、再度ユーザの認証処理が行われる。
【００３６】
また、Ｓ７において、ユーザが登録ユーザでない場合は、メイン制御部１０は、使用を制限する。そのため、ジョブは中止される。入力されたユーザ情報は消去される（Ｓ１１）。なお、コピー以外のジョブを行う場合でも、同様にユーザの認証処理とジョブとは同時に実行される。
【００３７】
ジョブには、予約ジョブがある。ユーザにより予約ジョブが指示されたとき、メイン制御部１０は、このユーザを認証すると、予約ジョブとユーザとを関連付けて、ジョブを登録する。したがって、他のユーザは、予約ジョブを解除することはできない。また、予約ジョブが登録されているとき、認証された他のユーザによるジョブは実行され、予約ジョブも登録できる。
【００３８】
このように、ユーザの認証処理と並行して、原稿の読み取りが行われるので、ユーザを認証するための時間を削減でき、ジョブの処理時間を短縮できる。しかも、ユーザの認証を行うタイミングとジョブの開始タイミングとにはタイムラグがないので、他のユーザが割り込む隙はない。他のジョブが割り込まされた場合でも、そのジョブに対するユーザの認証がされていないので、他のジョブが実行されることはない。また、ジョブが終了すれば、自動的にログオフされるので、ログオフの操作忘れによって、他のユーザのジョブが行われるといったことをなくせる。したがって、認証されないユーザが画像処理装置１を不正に使用することを防止できる。
【００３９】
なお、本発明は、上記実施形態に限定されるものではなく、本発明の範囲内で上記実施形態に多くの修正および変更を加え得ることは勿論である。記録媒体は、ユーザ情報が記載された原稿であってもよい。第２読取部は、原稿の画像を読み取り、メイン制御部は、原稿の画像からユーザ情報を取得する。
【００４０】
記録媒体に記載されるユーザ情報は、バーコード、２次元コードといったコード画像であってもよい。メイン制御部は、読み取ったコード画像を解析して、ユーザ情報を取得する。
【図面の簡単な説明】
【００４１】
【図１】本発明の画像通信システムの構成図
【図２】画像処理装置の概略構成を示すブロック図
【図３】ユーザ情報が記載された名刺を示す図
【図４】ユーザを認証しながらジョブを実行するときのフローチャート
【符号の説明】
【００４２】
１    画像処理装置
１０    メイン制御部
１１    制御用メモリ
１３    画像記憶部
１５    読取部
２３    第２読取部
２４    ＯＣＲ処理部
【図１】
2009171367.tif 000003
【図２】
2009171367.tif 000004
【図３】
2009171367.tif 000005
【図４】
2009171367.tif 000006